(57)【特許請求の範囲】
【請求項１】
耕耘部３０の後方上方側から側面視で該耕耘部３０に重なるように施肥管４ｂを延設し、かつ前記耕耘部３０の後方に播種管８ａを設け、地中に施肥及び播種を同時に行う施肥播種機において、前記施肥管４ｂの先端部を前記耕耘部３０の耕耘爪３１の回転軌跡内側で、かつ前記耕耘部３０の耕耘軸１３よりも下方に位置させて耕耘溝に向けて配置するとともに、前記施肥管４ｂの先端部後方で前記耕耘爪３１の回転軌跡外側の施肥された施肥層の上方に前記播種管８ａの先端部を設けて播種を行うことを特徴とする施肥播種機。
【請求項２】
施肥された施肥層を覆土するとともに、覆土面を作溝体７によって作溝した位置に播種する請求項１の施肥播種機。
【発明の詳細な説明】
【０００１】
【発明の属する技術分野】
本発明は、施肥と同時に水稲類の種子或いは野菜、牧草類の播種を行う施肥播種機に関する。
【０００２】
【従来の技術】
従来、耕耘を行いながら施肥と播種を同時に行う施肥播種機は、実開昭５６−４１５１２号公報に示される構造のものが知られている。
【０００３】
【発明が解決しようとする課題】
前記公報に示される施肥播種機は、施肥管と播種管を接近させた状態で耕耘部の背後に設けているので、施肥層と播種層との分離が充分に行われないで両者が混合し易い等の欠点があるとともに、覆土が適切に行われないで発芽や作物の育成にむらを生ずる等の問題がある。
【０００４】
【課題を解決するための手段】
本発明は前記したような従来技術の問題点を解決するためになされたものであって、耕耘部３０の後方上方側から側面視で該耕耘部３０に重なるように施肥管４ｂを延設し、かつ前記耕耘部３０の後方に播種管８ａを設け、地中に施肥及び播種を同時に行う施肥播種機において、前記施肥管４ｂの先端部を前記耕耘部３０の耕耘爪３１の回転軌跡内側で、かつ前記耕耘部３０の耕耘軸１３よりも下方に位置させて耕耘溝に向けて配置するとともに、前記施肥管４ｂの先端部後方で前記耕耘爪３１の回転軌跡外側の施肥された施肥層の上方に前記播種管８ａの先端部を設けて播種を行うようにしている。
【０００５】
また、施肥された施肥層を覆土するとともに、覆土面を作溝体７によって作溝した位置に播種することを特徴としている。
【０００６】
【発明の実施の形態】
以下図面を参照して本発明の実施形態を説明する。
１は、トラクタ等の走行機体Ａの後部に３点リンクヒッチ等の昇降支持機構２を介して装着した施肥播種機であり、前方側より耕耘装置（作溝装置）３と、施肥タンク４ａと施肥管４ｂからなる施肥装置４と、耕耘深さを設定するゲージ輪５と、耕耘溝Ｍ部を均して覆土するそり状の土均体６と、この覆土された部分を所定深さにかき分けて溝部Ｓを形成する作溝体７と、この作溝体７の回転軸の背後にあって地上部から種子を落下させる播種管８ａ及び播種タンク８ｂ等からなる播種機８と、この播種機８の後方にあって播種された溝部Ｓを覆土する覆土体９と、覆土された部分を鎮圧して土均しを行うローラ部材からなる鎮圧体１０等を配列して、これらを作業機フレーム１Ｆに一体的に取付けて構成している。
【０００７】
次に上記各要素の構成及び関係について説明する。
図示例の耕耘装置３は走行機体Ａ側から伝動軸１１を介して伝動ケース１２に設けた横軸からなる耕耘軸１３を駆動し、この耕耘軸１３に所定の播種間隔で配置した複数の耕耘部３０で複数条の耕耘溝Ｍを形成するようにしている。
前記耕耘部３０は矢印方向に回転する耕耘軸１３に植設した耕耘爪３１の外側を覆土空間Ｈを有する耕耘カバー３２で覆っており、この耕耘カバー３２の後部に土均体６を高さ調節可能に取付支持している。そして耕耘爪３１による耕耘深さを耕耘装置３の側方に設けたゲージ輪５が地面を転動支持されることで所定深さ（略６０ミリ程度）の耕耘溝Ｍを形成するようにしている。
【０００８】
また施肥装置４は、肥料タンク４ａ内に収容されている肥料を耕耘軸１３の後方で耕耘カバー３２の側方に取着された施肥管４ｂから耕耘溝Ｍ内に供給して施肥し、この耕耘溝Ｍの底部に施肥層Ｍ１を形成するようにしている。
一方、作溝体７は平面視でハ字状に左右一対の円板を回転軸に接地して転動可能に構成して、形成された耕耘溝Ｍ内に深さ略３０ミリ程度の溝部Ｓを成形するようにしており、この溝部Ｓ内に前記施肥管４ｂから播種タンク８ｂ内に収容されている種子を供給して播種し播種層Ｋ１を形成するようにしている。
【０００９】
そして、前記のように形成された播種層Ｋ１は、平面視で斜設されて接地しながら転動する覆土体９が前記溝部Ｓを埋め戻して覆土するとともに、覆土面を鎮圧体１０が上方から所定の荷重で転圧して種子を地中内に安定して保持するようになっている。なお、１５は地面に接地して転動し、ベルト１６を介して播種タンク８ｂの繰出輪１７を回転駆動する接地輪である。
【００１０】
以上のように構成され、そして前記のように施肥と播種とを連続的を行う施肥播種機１は、不耕起の圃場を前面的に耕耘することなく、播種条部分のみを耕耘部３０で所定深さの耕耘溝Ｍを形成するので、小動力で耕耘を能率よく行いながら、耕耘溝Ｍに施肥を同時に行い、耕耘部３０の覆土空間及び土均体６によって覆土する。
【００１１】
次いでこの耕耘溝Ｍを形成した部分を、作溝体７が施肥層Ｍ１より所定量だけ上方位置を作溝体７で作溝し、形成した溝部Ｓ内に播種管８ａから種子を耕土に的確に播種した後覆土体９で覆土し、更にその上を鎮圧体１０で転圧して一連の施肥及び播種作業を能率よく完了させることができるものである。
従って、播種された種子は、下層の肥料部分の上層に位置して上下層に適切に分離された状態で均一に覆土転圧されることになり、鳥害等を受けることなく発芽を均質且つ良好にすることができる。
【００１２】
そして作物は、略直下に施肥された肥料の養分を効果的に吸収して下方への根張りを良好に行いながら健全な成長を行うことができ、作物の育成栽培を省力化しながら増収を期待することができるものである。
【００１３】
【発明の効果】
以上の説明から明らかなように、本発明による施肥播種機によれば、耕耘部で作溝された耕耘溝内に、施肥管を経由して施肥を行い、そして施肥層を覆土した状態において、この施肥層より上方に離間した位置に播種することにより、施肥と播種の同時作業を適切且つ能率よく行うとともに、肥料と種子の混合を防止して作物の発芽と育成を良好に行うことができる。
【００１４】
またこの際、作溝体によって作溝を的確に形成することによって播種を円滑且つ精度よく行うことができる。
【図面の簡単な説明】
【図１】施肥播種機の側面図である。
【図２】図１の平面図である。
【図３】（Ａ）は耕耘部の側断面図、（Ｂ）は（Ａ）の後断面図である。
【符号の説明】
１  施肥播種機                  １Ｆ  作業機フレーム
４  施肥装置                    ４ｂ  施肥管
５  ゲージ輪                    ６  土均体
７  作溝体                      ８  播種装置
８ａ  播種管                    ９  覆土体
１０  鎮圧体                    １３  耕耘軸
３１  耕耘爪                    Ｍ  耕耘溝
Ｍ１  施肥層                    Ｓ  作溝
Ｋ１  播種層
【図１】
0003848733.tif 000002
【図２】
0003848733.tif 000003
【図３】
0003848733.tif 000004